(57)【要約】【課題】起立させた側板を簡単な構成で維持しロックする。【解決手段】天板１と、側板２〜５と、外辺フラップ７〜９と、第１及び第２ロックフラップ１０，１１と、側板サイドフラップ１２〜１５とから箱シートＳ１を構成する。側板２〜４を折り曲げて、天板１に対して側板２〜４を起立させる。側板サイドフラップ１２〜１５を側板３，５の内側面に重ね、外辺フラップ７，９を折り曲げて、側板サイドフラップ１３，１４、１５，１２に重ね合わせる。側板サイドフラップ１２〜１５と側板３，５との間で交差重ね合わせ部１２ｃ〜１５ｃを介してロックフラップ１０，１１を挿入し、ロックフラップ１０，１１の挿入によって、外辺フラップ７，９により側板サイドフラップ１２〜１５を側板３，５の内側面に固定し、天板１に対し各側板２〜５の起立状態を維持する。【選択図】図４
2009096549.tif 000002
【特許請求の範囲】
【請求項１】
主板と、
前記主板の少なくとも隣接する３つの辺からなる第１〜第３主板折り筋を介して折り曲げられる矩形状の第１〜第３の側板と、
前記第１〜第３側板の内、中央に位置する第２側板に対し、前記第２主板折り筋と対向する側板外辺折り筋を介して折り曲げられる第２外辺フラップと、
前記第２外辺フラップの前記側板外辺折り筋と対向する外辺の中央部から延設される第１ロックフラップと、
前記第２側板の両側に位置する第１側板及び第３側板に対し、前記第１及び第３主板折り筋と交差する側板側辺折り筋を介して折り曲げられる第１側板サイドフラップと、
前記第１側板サイドフラップの外辺に設けられ、前記第２外辺フラップを前記第１側板サイドフラップに重ね合わせるとともに、この重ね合わせ向きを変えるための交差重ね合わせ部とを備え、
前記第１〜第３側板を前記主板折り筋を介して折り曲げて前記主板に対して起立させて、前記第１〜第３側板の隣接する側辺同士を合わせるとともに、前記第１側板サイドフラップを前記第２側板の折り曲げ側である内側面に重ね、前記第２外辺フラップを前記側板外辺折り筋を介して折り曲げて、前記第１側板サイドフラップに重ね合わせ、且つ前記第１側板サイドフラップと第２側板との間に少なくとも前記第１ロックフラップを介在させて、前記交差重ね合わせ部を介して、第１側板サイドフラップの側辺部が少なくとも前記第１ロックフラップの側縁部に重なる第１重ね合わせ部と第２外辺フラップが第１側板サイドフラップの外辺部に重なる第２重ね合わせ部とを形成し、これらの重ね合わせ向きが異なる前記第１及び第２重ね合わせ部によって、前記第１側板サイドフラップを前記第２側板の内側面に固定し、前記主板に対し前記第１〜第３側板の起立状態を維持することを特徴とする組み立て箱。
【請求項２】
前記主板は矩形であり、相対する１対の辺に、前記第２側板をそれぞれ形成し、他の２辺に第１及び第３側板を形成し、前記主板に対し２個の第２側板と前記第１及び第３側板とにより、４個の側板の起立状態を維持することを特徴とする請求項１記載の組み立て箱。
【請求項３】
前記主板は矩形であり、前記第２側板に対向する辺に第４主板折り筋を介して折り曲げられ、前記第２側板と同形の第４側板と、前記第４側板に対し、前記第４主板折り筋と対向する側板外辺折り筋を介して折り曲げられる蓋フラップと、前記蓋フラップの前記側板外辺折り筋と対向する外辺の中央部から延設される第２ロックフラップと、前記第２ロックフラップと前記第２側板とを連結保持する連結保持部と、前記第４側板の両側縁に側板側辺折り筋を介して折り曲げられる第２側板サイドフラップとを備え、
前記第４側板を前記主板折り筋を介して折り曲げて前記主板に対して起立させて、前記第１，第４，第３側板の隣接する側辺同士を合わせるとともに、前記第２側板サイドフラップを側板側辺折り筋を介して折り曲げて、前記主板に対し前記第１〜第４側板を起立させるとともに、前記連結保持部を介して前記第２ロックフラップと第２側板を連結保持して、第１〜第４側板の起立状態の開口部分を前記蓋フラップにより覆うことを特徴とする請求項１記載の組み立て箱。
【請求項４】
前記連結保持部は、前記第２側板に形成され、第２ロックフラップが挿入されるロックフラップ挿入開口であり、前記ロックフラップ挿入開口は前記第１ロックフラップにより塞がれていることを特徴とする請求項３記載の組み立て箱。
【請求項５】
前記第２側板サイドフラップは、前記第４側板の両側縁と該両側縁に隣接する第１及び第３側板の側縁とに側板側辺折り筋を介して折り曲げられ、且つ主板の隅部を起点とする斜め折り筋により折り曲げ可能であり、
前記第４側板を前記主板折り筋を介して折り曲げて前記主板に対して起立させる際に、前記斜め折り筋により折り畳まれて、第４側板の内側面に密着することを特徴とする請求項３または４記載の組み立て箱。
【発明の詳細な説明】
【技術分野】
【０００１】
本発明は、組み立てが容易な組み立て箱に関する。
【背景技術】
【０００２】
紙、段ボール、プラスチックフィルム、これらの複合シートなどから構成されるシート状素材を用いて作られる箱は、紙製貼箱や段ボール箱の一部を除き、これらの箱の保管及び輸送時に場所をとらないように、箱を使用するときに組み立てるのが一般的である。
【０００３】
洋菓子箱、靴箱などの各種段ボール箱、プラスチックフィルム製の化粧品箱などの組み立て箱は、ボトムロック方式や側壁折り畳み方式などの数多くの組み立て方式が用いられている。
【０００４】
例えば、特許文献１では、フラップを重ね合わせて、フラップ同士をロックさせることにより、箱の底部分を構成するボトムロック式の組み立て箱が記載されている。また、特許文献２には、側壁折り畳み方式の組み立て箱が記載されている。また、特許文献３には、比較的高さのある箱の簡便組み立て方式が記載されている。
【特許文献１】特開平８−１６９４３６号公報
【特許文献２】実用新案登録第３０５８７７５号公報
【特許文献３】実開昭５３−１３５２３８号公報
【発明の開示】
【発明が解決しようとする課題】
【０００５】
しかしながら、上記ボトムロック方式の組み立て箱であると、複数のフラップ同士を重ね合わせるため、底部が平坦ではなく、且つ底板に隙間が発生する問題がある。また、側壁折り畳み方式の場合には、側板に斜めの折り畳み筋が入るため、外観を重視する場合には使い難いという問題がある。また、特許文献３での組み立て方式では組み立てに時間がかかり、瞬時に組み立てることが困難であるという問題がある。
【０００６】
本発明は上記課題を解決するためのものであり、底板または天板などの主板を平坦構造とし、側板には外観品質を低下させる折り筋が入らないようにし、また、主板に対して高さのある箱でも容易に組み立てが可能な組み立て箱を提供することを目的とする。
【課題を解決するための手段】
【０００７】
上記目的を達成するために、本発明では、主板と、前記主板の少なくとも隣接する３つの辺からなる第１〜第３主板折り筋を介して折り曲げられる矩形状の第１〜第３の側板と、前記第１〜第３側板の内、中央に位置する第２側板に対し、前記第２主板折り筋と対向する側板外辺折り筋を介して折り曲げられる第２外辺フラップと、前記第２外辺フラップの前記側板外辺折り筋と対向する外辺の中央部から延設される第１ロックフラップと、前記第２側板の両側に位置する第１側板及び第３側板に対し、前記第１及び第３主板折り筋と交差する側板側辺折り筋を介して折り曲げられる第１側板サイドフラップと、前記第１側板サイドフラップの外辺に設けられ、前記第２外辺フラップを前記第１側板サイドフラップに重ね合わせるとともに、この重ね合わせ向きを変えるための交差重ね合わせ部とを備え、前記第１〜第３側板を前記主板折り筋を介して折り曲げて前記主板に対して起立させて、前記第１〜第３側板の隣接する側辺同士を合わせるとともに、前記第１側板サイドフラップを前記第２側板の折り曲げ側である内側面に重ね、前記第２外辺フラップを前記側板外辺折り筋を介して折り曲げて、前記第１側板サイドフラップに重ね合わせ、且つ前記第１側板サイドフラップと第２側板との間に少なくとも前記第１ロックフラップを介在させて、前記交差重ね合わせ部を介して、第１側板サイドフラップの側辺部が少なくとも前記第１ロックフラップの側縁部に重なる第１重ね合わせ部と第２外辺フラップが第１側板サイドフラップの外辺部に重なる第２重ね合わせ部とを形成し、これらの重ね合わせ向きが異なる前記第１及び第２重ね合わせ部によって、前記第１側板サイドフラップを前記第２側板の内側面に固定し、前記主板に対し前記第１〜第３側板の起立状態を維持することを特徴とする。
【０００８】
なお、前記主板は矩形であり、相対する１対の辺に、前記第２側板をそれぞれ形成し、他の２辺に第１及び第３側板を形成し、前記主板に対し２個の第２側板と前記第１及び第３側板とにより、４個の側板の起立状態を維持することが好ましく、これにより主板とそれを囲む４個の側板からなる箱が形成される。
【０００９】
前記主板は矩形であり、前記第２側板に対向する辺に第４主板折り筋を介して折り曲げられ、前記第２側板と同形の第４側板と、前記第４側板に対し、前記第４主板折り筋と対向する側板外辺折り筋を介して折り曲げられる蓋フラップと、前記蓋フラップの前記側板外辺折り筋と対向する外辺の中央部から延設される第２ロックフラップと、前記第２ロックフラップと前記第２側板とを連結保持する連結保持部と、前記第４側板の両側縁に側板側辺折り筋を介して折り曲げられる第２側板サイドフラップとを備え、前記第４側板を前記主板折り筋を介して折り曲げて前記主板に対して起立させて、前記第１，第４，第３側板の隣接する側辺同士を合わせるとともに、前記第２側板サイドフラップを側板側辺折り筋を介して折り曲げて、前記主板に対し前記第１〜第４側板を起立させるとともに、前記連結保持部を介して前記第２ロックフラップと第２側板を連結保持して、第１〜第４側板の起立状態の開口部分を前記蓋フラップにより覆うことが好ましく、これにより主板とそれを囲む４個の側板からなる箱と、この箱の開口部分を覆う蓋とが一体に形成される。
【００１０】
前記連結保持部は、前記第２側板に形成され、第２ロックフラップが挿入されるロックフラップ挿入開口であり、前記ロックフラップ挿入開口は前記第１ロックフラップにより塞がれていることが好ましい。この場合には、ロックフラップ挿入開口が第１ロックフラップにより塞がれているため、中身が見えることがなく、また、内容物がこのロックフラップ挿入開口から飛び出すこともなくなる。また、第２ロックフラップを挿入する際に、第１ロックフラップが挿入ガイドとして機能し、挿入が円滑に行われる。
【００１１】
前記第２側板サイドフラップは、前記第４側板の両側縁と該両側縁に隣接する第１及び第３側板の側縁とに側板側辺折り筋を介して折り曲げられ、且つ主板の隅部を起点とする斜め折り筋により折り曲げ可能であり、前記第４側板を前記主板折り筋を介して折り曲げて前記主板に対して起立させる際に、前記斜め折り筋により折り畳まれて、第４側板の内側面に密着することが好ましい。この場合には、第４側板の両側縁が端面として外部に露出することがなく、外観が損なわれることがない。また、折り筋を介して第４側板と他の第１及び第３側板とが連結されているので、箱に収納されたシートなどが隙間から脱落することもなくなる。
【発明の効果】
【００１２】
本発明によれば、主板に対し第１〜第３側板の起立状態を維持することができる。したがって、簡単な構成で側板を起立保持することができ、箱を簡単に構成することができる。また、逆の操作により箱を平板状に折り畳むことができ、使用までの保管時の収容スペースが少なくなる。主板や側板の外面にフラップの重なりや斜め折り筋が露出することがなく、外観品質が向上する。
【発明を実施するための最良の形態】
【００１３】
図１〜図７に示す本発明の第１実施形態では、ホールケーキ（デコレーションケーキ）用のかぶせ箱として本発明の組み立て箱を用いたものである。このかぶせ箱は、台紙にケーキを載せて、上からかぶせて使用される。
【００１４】
図１は片面白チップボール紙の１枚物からなる箱シートの展開平面図であり、箱の内側となる面側を示している。なお、本発明における展開平面図において、実線は切断線を、破線は折り筋を示している。この箱シートＳ１は、矩形の天板（主板）１と、この四辺に第１〜第４天板折り筋１６，１７，１８，１９を介して延設されている矩形の側板２，３，４，５とから構成されている。これら天板１と側板２〜５により、かぶせ箱としての骨格が作られる。
【００１５】
前記第１〜第４天板折り筋１６〜１９と相対する外側辺（外辺）には、第１〜第４の側板外辺折り筋２１，２３，２６，２８を介して、矩形の第１〜第４外辺フラップ６，７，８、９が延設されている。これら外辺フラップ６〜９は側板外辺折り筋２１，２３，２６，２８で１８０°折り曲げられることで、第１〜第４側板２〜５の外辺を補強する。
【００１６】
第１及び第３側板２，４の両側辺には、側板側辺折り筋２０，２２，２５，２７を介して側板サイドフラップ１２，１３，１４，１５が延設されている。これら側板サイドフラップ１２〜１５及び第２，第４外辺フラップ７，９を用いて、各側板２〜５が天板１から９０°折り曲げられて立ち上がった状態が維持される。
【００１７】
側板サイドフラップ１２〜１５は、天板１の４隅（頂点）を起点として側板側辺折り筋２０，２２，２５，２７に対して４５°の角度で斜め折り筋３０，３１，３２，３３が形成されている。これら側板サイドフラップ１２〜１５は、第２及び第４側板３，５の両側辺に沿った切断線３４，３５，３６，３７により第２及び第４側板３，５とは切り離されている。また、折り筋３０〜３３の途中には、Ｌ字片の切り込み線３８，３９，４０，４１が入れられている。
【００１８】
これら斜め折り筋３０〜３３及び切り込み線３８〜４１によって、各側板サイドフラップ１２〜１５は、可動部１２ａ〜１５ａと固定部１２ｂ〜１５ｂとに分けられる。固定部１２ｂ〜１５ｂの一部（図２におけるハッチングで示す糊代１２ｄ〜１５ｄ）は、後に説明するように、第２及び第４側板３，５に糊付けされる。また、可動部１２ａ〜１５ａの外辺には、かぶせ箱として組み立てられたときに中央部に位置するように切欠きからなる交差重ね合わせ部１２ｃ〜１５ｃが形成されている。この交差重ね合わせ部１２ｃ〜１５ｃは、図５に示すように、箱に組み立てられたときに、第１及び第２ロックフラップ１０，１１が円滑にスライドするように、ロックフラップ１０，１１の幅Ｌ１よりも少し広くなる幅Ｌ２となるように形成されている。
【００１９】
図１に示すように、第２及び第４外辺フラップ７，９の外辺の中央には、フラップ外辺折り筋２４，２９を介してロックフラップ１０，１１が延設されている。このロックフラップ１０，１１の幅Ｌ１は、側板３，５の幅Ｌ３の例えば半分の幅（Ｌ３／２）で形成されており、箱に組み立てられたときに、第２及び第４側板３，５と固定部１２ｂ〜１５ｂとで挟まれた隙間に入り込む（図６参照）。ロックフラップ１０，１１が上記隙間に入り込み、ロックフラップ１０と第２外辺フラップ７、及びロックフラップ１１と第４外辺フラップ９とが平面状になる。このように平面状になると、外からロックフラップ１０，１１を掴んで引き出すという操作を加えない限り、平面状態が維持されるため、ロックフラップ１０，１１が前記隙間から抜け出しずらくなり、第２及び第４外辺フラップ７，９の第２及び第４側板３，５への１８０°折り曲げ状態が維持されて、各側板２〜５の起立状態がロックされる。また、第２及び第４外辺フラップ７，９を単に内側に折り曲げる従来方式であると、これら外辺フラップ７，９の中央部が紙の反発力で内側に膨らんでしまい、美観を損ねるとともに、外辺フラップ７，９による側板補強効果も得られなくなる不都合があったが、これらを解消することができる。
【００２０】
次に、本実施形態の予備組み立てについて説明する。先ず、図１の状態において、第１及び第３外辺フラップ６，８を側板外辺折り筋２１，２６を介して内側に折り返し、図２に示すように、その内側面を接着により固定する。また、ロックフラップ１０，１１をフラップ外辺折り筋２４，２９を介して内側に１８０°折り返す。
【００２１】
次に、図１において、側板サイドフラップ１２〜１５を斜め折り筋３０〜３３を介して内側に１８０°折り返す。次に、図２に示すように、折り返した固定部１２ｂ〜１５ｂのハッチングで示す糊代１２ｄ〜１５ｄに、糊を付けて、天板折り筋１６，１８により第１及び第３側板２，４を内側に１８０°折り返す。この折り返しにより糊代１２ｄ〜１５ｄを介して、各固定部１２ｂ〜１５ｂが第２及び第４側板３，５の内側面に固着される。この固着により予備組み立てが終了する。図３はこの状態を示しており、半完成品であり、保管時や使用前の状態となる。なお、糊代１２ｄ〜１５ｄに当接することがないように、ロックフラップ１０の先端には半円状の切欠き１０ａが形成してある。
【００２２】
使用に際しては、図３の折り畳み状態から、第２及び第４外辺フラップ７，９の中央部をロックフラップ１０，１１と共に親指と人差し指で掴み、そのまま両手で側板３，５を立ち上げかけると、図４に示すように、箱が起立途中状態となる。このように第２及び第４側板３，５を立ち上げていくと、サイドフラップ１２〜１５で連繋されている第１及び第３側板２，４も同じように立ち上がる。そして、第２及び第４側板３，５を天板１に対して９０°に起立させると、他方の第１及び第３側板２，４も天板１に対して９０°で起立する。
【００２３】
その後、図５に示すように、第１ロックフラップ１０を下方に押すように第２外辺フラップ７を折り曲げると、第１ロックフラップ１０がサイドフラップ１３，１４と第２側板３との隙間に入り込む。同様にして、第２ロックフラップ１１もサイドフラップ１２，１５と第４側板５との隙間に入り込む。図６はこの状態を示したものであり、可動部１５ａにより第２ロックフラップ１１が第４側板５に押え込まれる。第１ロックフラップ１０も同様にして固定される。このように、第１及び第２ロックフラップ１０，１１と第２及び第４外辺フラップ７，９とが平面状になる。これにより、外からロックフラップ１０，１１を掴んで引き出すという操作を加えない限り、平面状態が維持される。したがって、外辺フラップ７，９によるサイドフラップ１２〜１５の押え込みが確実に行われ、組み立て箱が完成する。
【００２４】
本実施形態によれば、図３に示す折り畳み状態の箱シートＳ１から、図４及び図５に示すように、箱シートＳ１の両端部を両手で掴んで、側板２〜５を起立させ、そのままロックフラップ１０，１１を押し込むことにより、掴んだ両手を一度も持ち変える必要なく、流れるようにスムーズに箱の組み立てとロックが完了する。また、逆に、外辺フラップ７，９を側板外辺折り筋２３，２８を中心に回すように引き上げることで、ロックフラップ１０，１１を隙間から簡単に抜き出すことができ、ロックが解除される。このままの状態で、第２及び第４側板３，５を倒していくことで、サイドフラップ１２〜１５を介し連結される第１及び第３側板２，４が内側に折り畳まれ、平坦状の箱シートＳ１に戻すことができる。
【００２５】
図６及び図７は、第２ロックフラップ１１を有する第４外辺フラップ９と、第４サイドフラップ１５との結合状態を示す断面図であり、図６は図５におけるＸ断面を、図７は同じくＹ断面をそれぞれ示している。図７では、第４サイドフラップ１５が第４外辺フラップ９で確実に内側から押えられており、第４側板５の起立状態が維持されていることが判る。そして、図６では、第２ロックフラップ１１と第４外辺フラップ９とが略直線状となり、しかも、第２ロックフラップ１１が第４サイドフラップ１５に内側から押えられた状態となっており、第２ロックフラップ１１の抜け出しが抑えられ、側板５の起立状態の維持が確実に保持されて、側板５の起立状態がロックされていることが判る。
【００２６】
図８は、サイドフラップ１３，１４と第２側板３と外辺フラップ７とロックフラップ１０との関係を示している。なお、図面の煩雑化を避けるために、天板１、第１側板２、第３側板３は図示を省略している。（Ａ）はロックフラップ１０の挿入前の状態を示しており、（Ｂ）はロックフラップを挿入して、交差重ね合わせ部１３ｃ，１４ｃを介して第１重ね合わせエリアＨ１と第２重ね合わせエリアＨ２とによるロック状態を示している。第１重ね合わせエリアＨ１では、ロックフラップ１０がサイドフラップ１３，１４の側辺部に押えられ、第２重ね合わせエリアＨ２では、ロックフラップ１０と一体である外辺フラップ７がサイドフラップ１３，１４の外辺部を押えるため、重ね合わせ向きが逆となって、これら逆向きの重ね合わせにより、サイドフラップ１３，１４と外辺フラップ７及びロックフラップ１０との折り重なり状態がロックされる。
【００２７】
図９及び図１０は本発明の第２実施形態を示している。この実施形態では、組み立て箱を蓋付きの靴箱に用いている。第１実施形態と異なる点は、靴箱として利用可能なように、底板（主板）５１を長方形に形成した点と、第１側板５２及び第３側板５４の外辺フラップに替えて、蓋受けフラップ５６と、蓋５８と、蓋サイドフラップ９２，９４と、蓋ロックフラップ９３とを備える点で異なるだけであり、側板５２〜５５を支持するための基本的な構成は第１実施形態と同一である。
【００２８】
具体的には、本発明の箱シートＳ２は、底板（主板）５１に第１〜第４の側板５２，５３，５４，５５を折り筋を介し延設している。そして、第１側板５２にサイドフラップ６２，６３と蓋受けフラップ５６とを、第２及び第４側板５３，５５に外辺フラップ５７，５９とロックフラップ６０，６１とを、第３側板５４に蓋５８とサイドフラップ６４，６５とを設けている。各サイドフラップ６２〜６５には斜め折り筋８０〜８３とＬ字形切り込み線８８〜９１を設けて、可動部６２ａ〜６５ａと固定部６２ｂ〜６５ｂとに分けている。蓋受けフラップ５６の折り筋９６には蓋ロックフラップ９３が入り込むフラップ挿入口９５が形成してある。
【００２９】
折り畳み状態の箱シートＳ２を形成する場合には、第１実施形態と同様にして、サイドフラップ６２〜６５の各固定部６２ｂ〜６５ｂを側板５３，５５に糊付けし、底板５１に対して、第１及び第３側板５２，５４を内側に１８０°折り曲げて、平坦状の箱シートＳ２とする。
【００３０】
箱として用いる場合には第１実施形態と同様にして、第２及び第４側板５３，５５を起立させた後に、第１及び第２ロックフラップ６０，６１をサイドフラップ６３，６４及び６２，６５と側板５３，５５との間に差し込むことで、箱が完成する。その後、蓋５８を閉じて蓋ロックフラップ９３をフラップ挿入口９５に差し込むことで、蓋付きの箱として利用することができる。
【００３１】
以上のように、第１及び第２実施形態では、請求項１の第１〜第３側板の起立状態を維持する発明と、対向する１対の側板に請求項１を実施した請求項２記載の発明とが実施されている。
【００３２】
なお、上記実施形態では、ワンタッチ効果を得るために、サイドフラップ１２〜１５を可動部１２ａ〜１５ａと固定部１２ｂ〜１５ｂとに折り筋及び切断線を介して区画し、固定部１２ｂ〜１５ｂの一部を糊代１２ｄ〜１５ｄとして糊付けしたが、ワンタッチの効果を望まない場合には、固定部の形成や糊付けは省略してもよい。この場合にも、サイドフラップ１２〜１５と第２及び第４外辺フラップ７，９と第１及び第２ロックフラップ１０，１１とにより、側板２〜５の起立状態を保持（ロック）することができる。
【００３３】
次に、本発明の第３〜第５実施形態について説明する。これら第３〜第５実施形態では、蓋付き薄型箱とした形態であり、各種商品（例えばシャツ等の衣類や食料品その他の物品）の贈答用ケースや、書類ケースとして利用可能である。これらは第１及び第２実施形態のようなワンタッチ組み立てとはなっていないが、平板状の収納状態と、組み立てが簡単に行える箱状態との間で、簡単に変形することができる。しかも、糊とかスナップなどの固定手段を特に用いることなく、箱状態を維持することができる。なお、箱の補強を兼ねて、糊付けやスナップ固定を適宜取り入れてもよいことは勿論である。
【００３４】
先ず、第３実施形態について説明する。本実施形態の箱シートＳ３は、図１１に示すように展開平面図において、箱の底を構成する矩形の主板１０１と、主板１０１の４辺に第１〜第４主板折り筋１２１〜１２４を介し延設される第１〜第４側板１０２〜１０５と、第１側板１０２及び第３側板１０４に第１〜第４側板側辺折り筋１２５〜１２８を介し延設される第１〜第４サイドフラップ１０６〜１０９と、外辺フラップ１１０と、蓋フラップ１１１と、押え片１１２，１１３と、係止片１１４，１１５と、第１及び第２ロックフラップ１１６，１１７と、及びロック片１１８とから構成されている。
【００３５】
第１及び第２サイドフラップ１０６，１０７には、主板１０１の隅部を起点として第１及び第２側板側辺折り筋１２５，１２６に対して４５°の傾斜で第１及び第２斜め折り筋１３１，１３２が形成されている。これら第１及び第２斜め折り筋１３１，１３２を介して、第１及び第２サイドフラップ１０６，１０７は可動部１０６ａ，１０７ａと固定部１０６ｂ，１０７ｂとに区画される。固定部１０６ｂの裏面にはハッチングで示す糊代１０６ｃ，１０７ｃが設けられ、この部分に糊が付けられ、第１〜第３側板１０２〜１０４が主板に対し９０°で起立した状態のときに、第２側板１０３の内側面に糊付けされる。
【００３６】
また、第１及び第２サイドフラップ１０６，１０７には、その外辺で箱として組み立てられたときの中央部に位置する部分が斜めに切り欠かれており、交差重ね合わせ部１０６ｄ，１０７ｄが形成されている。
【００３７】
第３側板１０４の他方の第３サイドフラップ１０８及び第１側板１０２の他方の第４サイドフラップ１０９は、側板側辺折り筋１２７，１２８を介して第３及び第１側板１０４，１０２に延設されており、Ｌ字に形成されている。また、これらサイドフラップ１０８，１０９には、主板１０１の隅部を起点として側板側辺折り筋１２７，１２８に対して４５°の傾斜で斜め折り筋１３３，１３４が形成されている。これら第３及び第４サイドフラップ１０８，１０９は、第４側板１０５に側板側辺折り筋１３１，１３２を介し連続しており、主板１０１に対し９０°折り曲げられて起立したときに、斜め折り筋１３３，１３４で二つ折り状態となり、第４側板１０５に密着する。
【００３８】
押え片１１２は、第１側板１０２及び第４サイドフラップ１０９の外辺に側板外辺折り筋１３５を介し延設されている。同様に、押え片１１２は第３側板１０４及び第３サイドフラップ１０８の外辺に側板外辺折り筋１３６を介し延設されている。そして、これら押え片１１２，１１３は側板外辺折り筋１３５，１３６を介して内側面に密着するように折り返される。各押え片１１２，１１３には、切欠き１１２ａ，１１３ａが形成されており、これら切欠き１１２ａ，１１３ａには、箱に組み立てられた状態のときの係止片１１４，１１５が入りこみ、外辺フラップ１１０が開くことがないように押える。
【００３９】
第１ロックフラップ１１６は外辺フラップ１１０の外辺の中央部に延設され、第２ロックフラップ１１７は蓋フラップ１１１の外辺に延設されている。また、ロック片１１８は第２ロックフラップ１１７の外辺中央部に延設されている。なお、符号１４１〜１４５は、外辺フラップ１１０、蓋フラップ１１１、第１及び第２ロックフラップ１１６，１１７、ロック片１１８を折り曲げるための折り筋を示している。
【００４０】
第２側板１０３の略中央部には、前記ロック片１１８が差し込まれるロック片挿入穴１１９が設けられている。このロック片挿入穴１１９は、箱の組み立て状態では、第１ロックフラップ１１６により内側から覆われている。このため、ロック片挿入穴１１９にロック片１１８を挿入する際に、第１ロックフラップ１１６がガイド片となるため、挿入が容易になる。しかも、サイドフラップ１０６，１０７で第２側板１０３に押し付けれた状態が維持されるため、ロック片１１８がロック片挿入穴１１９から抜け出すことが抑えられる。
【００４１】
使用に際しては、第１〜第３側板１０２〜１０４を主板１０１に対して９０°になるように起立させ、この状態で、サイドフラップ１０６，１０７の固定部１０６ｂ，１０７ｂの糊代１０６ｃ，１０７ｃを介して第２側板１０３に固着する。次に、斜め折り筋１３１〜１３４、折り筋１２１，１３１、折り筋１２３，１３２を介して、第２側板１０３及び第４側板１０５を内側に１８０°折り曲げる。同様にして、外辺フラップ１１０、蓋フラップ１１１を折り筋１４２，１４３を介して内側に１８０°折り曲げる。このようにして、図１２に示すように、第２側板１０３、主板１０１、第３側板１０４からなる矩形平板とすることができ、この状態で保管される。
【００４２】
箱として使用する際には、図１２の状態において、第１側板１０２及び第３側板１０４を引き上げて、主板１０１に対し９０°になるように起立させる。この引き上げにより第２側板１０３も起立した状態になる。次に、起立させた状態の可動部１０６ａ，１０７ａを上から外辺フラップ１１０により覆うように、外辺フラップ１１０を内側に折り曲げる。このとき、第１ロックフラップ１１６の両側縁部がサイドフラップ１０６，１０７の可動部１０６ａ，１０７ａに外側から押えられ、第２側板１０３と可動部１０６ａ，１０７ａとにより挟み込まれるようにする。図１３に示すように、この状態で第１ロックフラップ１１６をサイドフラップ１０６，１０７と第２側板１０３との隙間に完全に差し込むことで、第１ロックフラップ１１６及び外辺フラップ１１０がほぼ平板状になるため、外辺フラップ１１０の折り曲げ状態が維持される。
【００４３】
また、交差重ね合わせ部１０６ｄ，１０７ｄを介して第１ロックフラップ１１６がサイドフラップ１０６，１０７の内側に位置し、これらが重なると共に（図１３のハッチングで示す第２重ね合わせエリアＨ２参照）、交差重ね合わせ部１０６ｄ，１０７ｄを介して外辺フラップ１１０がサイドフラップ１０６，１０７の外辺部を押えるため（図１３のハッチングで示される第１重ね合わせエリアＨ１参照）、サイドフラップ１０６，１０７と外辺フラップ１１０と第１ロックフラップ１１６とによる相互の重なり状態により、第１ロックフラップ１１６が抜け出すことがなくなり、この状態が維持される。更に、両サイドにおいて、係止辺１１４，１１５が押え片１１２，１１３の切欠き１１２ａ及び１１３ａ内に入るため、両サイドにおいても外辺フラップ１１０の折り曲げ状態が維持される。
【００４４】
このようにして、主板１０１に対し第１〜第３側板１０２〜１０４の起立状態が維持される。この起立状態の第１〜第３側板１０２〜１０４及び主板１０１に囲まれた領域に、書類やシャツその他の物を入れた後に、第４側板１０５を閉じることで、矩形箱が構成され、さらに、ロック片１１８をロック片挿入穴１１９に入れることで、箱を蓋フラップ１１１により閉じた状態が維持される。ロック片挿入穴１１９は、第１ロックフラップ１１６により覆われた状態となっており、ロック片挿入穴１１９にロック片１１８を挿入すると、このロックフラップ１１６をガイド板としてロック片１１８が円滑に入り込む。また、ロック片１１８が第１ロックフラップ１１６と第２側板１０３との間に挟み込まれた状態となるため、とくに係止手段を必要とすることなく、箱を蓋で閉じた状態が維持される。
【００４５】
この第３実施形態では、請求項３及び４の発明が実施され、蓋付きの箱に対して別個のスナップや係止手段などの係止部材を用いることなく、簡単な構成で蓋を閉じた状態が維持される。なお、ロック片１１８をロック片挿入穴１１９に差し込むことで、蓋フラップ１１１のロック状態を維持する代わりに、スナップ等の２個１組の留め具からなる他の固定手段を用いてロック状態を維持してもよい。
【００４６】
なお、第３実施形態において、図１１に示すように、サイドフラップ１０６，１０７を糊代１０６ｃ，１０７ｃにより第２側板１０３に固定したが、これは糊付けしなくともよい。この場合には、斜め折り筋１３１，１３２が不要になる。また、斜め折り筋１３１，１３２で区画された固定部１０６ｂ，１０７ｂは無くしてもよい。
【００４７】
次に、図１５を参照して、第４実施形態について説明する。第４実施形態では、第１側板１０２及び第３側板１０４の第２側板１０３側のサイドフラップ１５１，１５２の形状が第３実施形態のものと異なっている箱シートＳ４であり、その他の構成は第３実施形態と同じである。したがって、以下、第３実施形態と同一構成部材には同一符号を付して重複した説明を省略する。
【００４８】
第４実施形態の第１及び第２サイドフラップ１５１，１５２は、第３及び第４サイドフラップ１０８，１０９と同様に、第１及び第３側板１０２，１０４の側板側辺折り筋１２５，１２６を介し延設されると共に、第２側板１０３の側板側辺折り筋１５３，１５４を介し延設されている。そして、斜め折り筋１５５，１５６が側板側辺折り筋１２５，１２６に対して４５°に傾斜するように形成されている。また、斜め折り筋１５５，１５６には、側板側辺折り筋１５３，１５４と平行に切り込み線１５７，１５８が形成されている。
【００４９】
斜め折り筋１５５，１５６及び切り込み線１５７，１５８で区分けされる第１可動部１５１ａ，１５２ａと第２可動部１５１ｂ，１５２ｂとが斜め折り筋１５５，１５６で１８０°に折り曲げられることにより、第２可動部１５１ｂ，１５２ｂが第２側板１０３に密着する。第１可動部１５１ａ，１５２ａの側板側辺折り筋１２５，１２６からの幅Ｌ４は、（Ｌ３−２×Ｌ４）＜Ｌ１となるように設定されており、これにより箱として組み立てたときに、第１及び第２サイドフラップ１５１，１５２の第１可動部１５１ａ，１５２ａの内側縁が第１ロックフラップ１１６の両側縁部に重なるようになる。また、第２可動部１５１ｂ，１５２ｂの側板側辺折り筋１５３，１５４からの幅Ｌ５は、（Ｌ３−２×Ｌ５）＞Ｌ１となるように設定されており、これら第２可動部１５１ｂ，１５２ｂの両側縁の間のスペースに第１ロックフラップ１１６が円滑に入り込む。
【００５０】
また、第１及第２サイドフラップ１５１，１５２の第１可動部１５１ａ，１５２ａの外辺部には、その外辺で箱として組み立てられたときの中央部に位置する部分が斜めに切り欠かれており、交差重ね合わせ部１５１ｃ，１５２ｃが形成されている。この交差重ね合わせ部１５１ｃ，１５２ｃを介して、第１可動部１５１ａ，１５２ａ、第２可動部１５１ｂ，１５２ｂ、第１ロックフラップ１１６、外辺フラップ１１０が相互に噛み合って、図１３と同様に、交互に重なり向きが変わる重ね合わせエリアＨ１，Ｈ２の作用によって、第１〜第３側板１０２〜１０４の起立状態が維持される。また、本実施形態では、各側板１０２〜１０５の両側縁が折り筋で折り畳まれるため、切断面が外部に露出することがなくなり、外観品質が向上する。この第４実施形態においても、平板状の箱シート状態と、立体の箱状態との間で、任意に変化することができる。
【００５１】
次に、図１６及び図１７を参照して、第５実施形態について説明する。この第５実施形態では、第３実施形態における第１及び第２サイドフラップ１０６，１０７の固定部１０６ｂ，１０７ｂを省略し、第２側板１０３の外辺フラップの形状と、第１及び第３側板の押え片、外辺フラップの押え片の形状とを第３実施形態のものと変更しただけであり、その他の構成は第３実施形態と同じであり、第３実施形態と同一構成部材には同一符号を付して重複した説明を省略する。
【００５２】
第５実施形態では、第３実施形態に比べて、第１〜第３の側板１０２〜１０４の起立とこの起立状態の保持（ロック）とをより簡単な操作で行っている。このため、第３実施形態の第１及び第３サイドフラップ１０６，１０７の固定部１０６ｂ，１０７ｂを無くして、可動部１０６ａ，１０７ａのみを残した第１サイドフラップ１６１，１６２を用いている。また、第３実施形態の外辺フラップ１１０と第１ロックフラップ１１６とを折り筋１４１を介することなく一体化した第１ロックフラップ１６３とし、しかも、交差重ね合わせ部１０６ｄ，１０７ｄに対して箱を組み立てる際に交差する第１ロックフラップ１６３に、斜めの交差重ね合わせ部１６３ａ，１６３ｂが形成されている。これら交差重ね合わせ部１０６ｄ，１０７ｄと交差重ね合わせ部１６３ａ，１６３ｂとが交差するように、第１ロックフラップ１６３と、第１及び第２サイドフラップ１６１，１６２とが重ね合わされることにより、図１７（Ｂ）に示すように、重ね合わせエリアＨ１，Ｈ２の面積が増加し、第１〜第３側板１０２〜１０４の起立状態が確実に維持される。また、押え片１６４，１６５及び係止片１６６，１６７の形状を変えており、起立状態を確実に保持している。
【００５３】
平板状にして保管する場合は、第３実施形態とほぼ同じように、第１側板１０２及び第４サイドフラップ１０９と、第３側板１０４及び第３サイドフラップ１０８とを折り筋１２１，１３２，１２３，１３１を介して主板１０１側に１８０°折り曲げて、矩形の平板状にする。このとき、折り筋１４２，１４３を介して第１ロックフラップ１６３及び第２ロックフラップ１１７を主板１０１側に１８０°折り曲げる。
【００５４】
箱として使用するときには、第１及び第３側板１０２，１０４を引き起し、且つ第２側板１０３を主板１０１に対し９０°に起立させる。このとき、第１ロックフラップ１６３の両側縁部に折り筋１７１，１７２を介し延設されている係止片１６６，１６７を、第２側板１０３に対して９０°内側に折り曲げた状態にする。次に、第１側板１０２の第１サイドフラップ１６１を第１側板１０２に対し９０°になるように折り筋１２５で折り曲げる。この折り曲げた状態で、図１７（Ａ）に示すように、第１サイドフラップ１６１を第１ロックフラップ１６３と第２側板１０３との隙間に入れながら、第１側板１０２を主板１０１に対し９０°になるように起立させる。この隙間に入れる途中で、第１サイドフラップ１６１の側端縁を交差重ね合わせ部１０６ｄと第１ロックフラップ１６３との間から外側に出すようにする。この状態で、第１側板１０２を主板１０１に対し９０°の角度に折り曲げることにより、図１７（Ｂ）に示すように、第１及び第２側板１０２，１０３が主板１０１に対し９０°の角度で起立される。次に、第１側板１０２の押え片１６４を内側に折って、係止片１６６を押え片１６４で押える。これにより、係止片１６６が押え片１６４と第１側板１０２との間で挟持され、第１及び第２側板１０２，１０３の起立状態をロックすることができる。
【００５５】
同様にして第３側板１０４を第２側板１０３にサイドフラップ１６２を介し連結させて、第２及び第３側板１０３，１０４を主板に対して９０°起立させた状態にし、同様にして押え片１６５で係止片１６７を押えて、第２及び第３側板１０３，１０４の起立状態を維持することができる。図１７では、第３側板１０４を先に９０°折り曲げた後に、第１側板１０２を主板１０１に対して９０°折り曲げている。
【００５６】
この後は、主板１０１と第１〜第３側板１０２〜１０４で囲まれた収納部内に例えば書類などを入れ、次に、蓋フラップ１１１及び第２ロックフラップ１１７を折り畳み、ロック片１１８をロック片挿入穴１１９に挿入することにより、蓋を閉じることができる。
【００５７】
この第４及び第５実施形態でも、請求項３及び４の発明が実施され、蓋付きの箱に対して別個のスナップや係止手段などの係止部材を用いることなく、簡単な構成で蓋を閉じた状態が維持される。また、第１〜第３側板のロック状態を解除することで、簡単に平板形態に戻すこともできる。
【００５８】
なお、上記各実施形態においては、箱シートＳ１〜Ｓ５を段ボールを用いて形成したが、これに代えて、例えばＰＰ（ポリプロピレン）などからなるプラスチックシートやその他の複合シートを用いて箱シートを形成してもよい。また、上記各実施形態では、必要に応じて糊付けやスナップ止めなどの固定手段で補強してもよいが、製造工数の減少や組み立て容易性の観点からは、糊付けやスナップなどによる固定は行わない方が好ましい。
【００５９】
また、側板のいずれか一つ又は複数には、窓を形成し、箱の中身が見えるようにしてもよい。窓の形状は矩形、円形、楕円形、多角形、星形、その他の各種形状としてよく、窓には必要に応じて透明シートを貼り付けることが好ましい。
【００６０】
上記実施形態では矩形状の箱について説明したが、本発明は主板が三角形やその他の多角形からなる箱体についても実施することができ、この場合にも、側板を簡単且つ容易に起立させ、且つ起立状態をロックして維持することができる。
【図面の簡単な説明】
【００６１】
【図１】本発明の第１実施形態の組み立て箱を示す展開平面図である。
【図２】サイドフラップを側板に固定する前の状態を示す平面図である。
【図３】組み立て箱を平板状にした保管状態を示す平面図である。
【図４】保管状態から第２及び第４側板を引き起こして、箱を組み立てる途中の斜視図である。
【図５】ロックフラップ挿入によってロックを行う状態を示す斜視図である。
【図６】図５のＸ断面における断面図である。
【図７】図５のＹ断面における断面図である。
【図８】サイドフラップと第２側板と外辺フラップとロックフラップとの関係を示す正面図であり、（Ａ）はロックフラップの挿入前を示し、（Ｂ）はロックフラップを挿入して、交差重ね合わせ部を介して第１重ね合わせエリアと第２重ね合わせエリアとによるロック状態を示している。
【図９】本発明の第２実施形態の組み立て箱を示す展開平面図である。
【図１０】同実施形態の蓋を閉じる前の組み立て箱を示す斜視図である。
【図１１】本発明の第３実施形態の組み立て箱を示す展開平面図である。
【図１２】同実施形態の組み立て箱を平板状にした保管状態を示す平面図である。
【図１３】同実施形態の箱組み立て途中の要部を示す斜視図である。
【図１４】同実施形態の組み立て完了状態を示す斜視図である。
【図１５】本発明の第４実施形態の組み立て箱を示す展開平面図である。
【図１６】本発明の第５実施形態の組み立て箱を示す展開平面図である。
【図１７】同実施形態の箱組み立て途中の要部を示す斜視図であり、（Ａ）は第２サイドフラップを第２側板の横から挿入している状態を示し、（Ｂ）は第２サイドフラップを第２側板に固定した後に、係止片と押え片とを用いて固定した状態を示している。
【符号の説明】
【００６２】
Ｓ１〜Ｓ５  箱シート
１  天板
２〜５  側板
６〜９  外辺フラップ
１０，１１  ロックフラップ
１２〜１５  側板サイドフラップ
５１  底板
５２〜５５  側板
５６  蓋受けフラップ
５７  外辺フラップ
５８  蓋
５９  外辺フラップ
６０，６１  ロックフラップ
６２〜６５  サイドフラップ
１０１  主板
１０２〜１０５  側板
１０６〜１０９  サイドフラップ
１１０  外辺フラップ
１１１  蓋フラップ
１１６，１１７  ロックフラップ
１１８  ロック片
１５１，１５２  サイドフラップ
１６１，１６２  サイドフラップ
１６３  ロックフラップ
【図１】
2009096549.tif 000003
【図２】
2009096549.tif 000004
【図３】
2009096549.tif 000005
【図４】
2009096549.tif 000006
【図５】
2009096549.tif 000007
【図６】
2009096549.tif 000008
【図７】
2009096549.tif 000009
【図８】
2009096549.tif 000010
【図９】
2009096549.tif 000011
【図１０】
2009096549.tif 000012
【図１１】
2009096549.tif 000013
【図１２】
2009096549.tif 000014
【図１３】
2009096549.tif 000015
【図１４】
2009096549.tif 000016
【図１５】
2009096549.tif 000017
【図１６】
2009096549.tif 000018
【図１７】
2009096549.tif 000019